(57)【特許請求の範囲】
【請求項１】
基台部と、
前記基台部に着脱可能な支柱部と
を備え、
前記基台部は、マイコン制御基板と、
前記マイコン制御基板への電気の供給の有無を選択するためのマイクロスイッチと
を含み、
前記支柱部は、前記マイコン制御基板によって制御されるファンモーターと、
前記支柱部が前記基台部に取り付けられることによって前記マイクロスイッチに係合する可動突起体と
を含み、
前記マイクロスイッチは、前記支柱部が前記基台部から取り外された状態において、前記電気の供給を行わないように形成され、
前記マイクロスイッチは、前記支柱部が前記基台部に取り付けられた状態において、前記可動突起体を動かすことにより、前記電気の供給の有無を選択できるように形成された、扇風機。
【請求項２】
前記マイクロスイッチは、ヒンジレバーを含み、
前記マイクロスイッチは、前記ヒンジレバーを動かすことによって、前記電気の供給の有無を選択できるように形成され、
前記ヒンジレバーは、前記支柱部が前記基台部から取り外されることにより、前記電気の供給を行わない位置になるように形成された、請求項１に記載の扇風機。
【請求項３】
前記可動突起体は、前記支柱部が前記基台部に取り付けられた状態において、前記可動突起体を押し下げることにより、前記ヒンジレバーが動かされるように形成され、
前記可動突起体は、押し下げられることによって、２つの停止位置で繰り返して停止するような半固定式に形成され、
前記可動突起体は、前記２つの停止位置が、前記電気の供給の有無を選択する位置になるように形成された、請求項２に記載の扇風機。
【発明の詳細な説明】
【０００１】
【発明の属する技術分野】
本発明は、分離型の電気機器に関し、さらに詳しくは、支柱部と基台部とに分離できる構造の扇風機の電源スイッチの構造に関するものである。
【０００２】
【従来の技術】
近年、扇風機はファンモーターのタップをＡＣスイッチにより切り換えＯＮ・ＯＦＦあるいは、強・中・弱・ＯＦＦさせる様な単純な仕様のものは少なく、マイコンを搭載し、そのマイコンによりファンモーターの各タップに接続されたトライアックをＯＮ・ＯＦＦさせ、リズム風等の多彩な送風パターン仕様を盛り込んだマイコン扇風機が大半を占めるようになってきている。
【０００３】
後者の場合、扇風機のファンモーターを停止させる方法としてマイコンによりファンモーターのタップに接続されたトライアックをＯＦＦさせ、ファンモーターを停止させている。この場合、ファンモーターの停止時もマイコンを動作させる必要があり、停止時もマイコンに通電され電力を消費している。
【０００４】
最近、環境上および省エネの観点から電気製品の待機時電力削減が話題になっているが、後者のマイコン扇風機の場合、前述のように停止中も電力を消費しており、待機時電力削減という点で問題があった。
【０００５】
また近年、コンパクト収納を目的とした、支柱部と基台部とが分離できる構造の扇風機（特開平７−１１９６８７号公報）が増えてきている。この種の扇風機は、図４に示すように基台部４０２に支柱部４０１を差し込み固定ナット４０３で固定すると支柱部、基台部それぞれに設けられたファンモーター接続用コネクタ４０４が合体し、図６に示すようにファンモーター６０４とマイコン制御基板６０２がファンモーター接続用コネクタ６０３により接続され、１台の扇風機の機能を成すというものである。
【０００６】
この種の扇風機において、従来、安全上の配慮（特開平７−１１９６８７号公報等参照）から、図５に示すように、基台部５０５内のマイコン制御基板５０４の活電部に、電源供給の有無を決定するマイクロＳＷ５０３、そして支柱部５０６内にそのマイクロＳＷ５０３を動作せしめる固定突起体５０１が設けられている。
【０００７】
【発明が解決しようとする課題】
前述のように、従来のマイコン扇風機は、停止中もマイコンに通電しており電力を消費しているため、待機時電力削減および、省エネという点で問題があった。
【０００８】
もしここで、待機時電力『０（零）』を目的として、停止中のマイコン制御基板への電源供給を遮断しようとした場合、図６に示すようにマイクロＳＷ６０１の通電経路に別途電源スイッチ６０５を設ける必要があり、コストアップすると言う問題があった。
【０００９】
本発明は、上記課題を解決するもので、扇風機の停止中は制御回路の活電部への電源供給を遮断し、待機時電力『０（零）』にできるマイコン扇風機をコストアップを最小限に押さえて実現させることを目的とする。
【００１０】
【課題を解決するための手段】
本発明は上記課題を解決するものであり、請求項１に記載の扇風機は、基台部と、上記基台部に着脱可能な支柱部とを備える。上記基台部は、マイコン制御基板と、上記マイコン制御基板への電気の供給の有無を選択するためのマイクロスイッチとを含む。上記支柱部は、上記マイコン制御基板によって制御されるファンモーターと、上記支柱部が上記基台部に取り付けられることによって上記マイクロスイッチに係合する可動突起体とを含む。上記マイクロスイッチは、上記支柱部が上記基台部から取り外された状態において、上記電気の供給を行わないように形成され、上記マイクロスイッチは、上記支柱部が上記基台部に取り付けられた状態において、上記可動突起体を動かすことにより、上記電気の供給の有無を選択できるように形成されている。
請求項２に記載の扇風機は、上記マイクロスイッチは、ヒンジレバーを含み、上記マイクロスイッチは、上記ヒンジレバーを動かすことによって、上記電気の供給の有無を選択できるように形成され、上記ヒンジレバーは、上記支柱部が上記基台部から取り外されることにより、上記電気の供給を行わない位置になるように形成されている。
請求項３に記載の扇風機は、上記可動突起体は、上記支柱部が上記基台部に取り付けられた状態において、上記可動突起体を押し下げることにより、上記ヒンジレバーが動かされるように形成され、上記可動突起体は、押し下げられることによって、２つの停止位置で繰り返して停止するような半固定式に形成され、上記可動突起体は、上記２つの停止位置が、上記電気の供給の有無を選択する位置になるように形成されている。
また、本発明の電気機器は、図３に示すように、給電部および制御部（マイコン制御基板２０４）を有する基体（基台部１０２）と、該基体に着脱され該制御部によって制御される動作部（ファンモーター３０４）を含む着脱体（支柱部１０１）とを備え、該着脱体は、被認識部（可動突起体１０５）を含む。該基体は、該着脱体を該基体に装着することにより該被認識部を認識する認識部（マイクロＳＷ２０３）を含む。該認識部は、該被認識部を認識することによって、該制御部と該給電部とを電気的に接続できるように形成され、該被認識部は、該制御部への給電の有無を選択するための電源スイッチを含むことを特徴とする。
【００１１】
上記電気機器は、上記着脱体が上記基体に対して装着されていない状態で、上記認識部が上記制御部への給電を停止するように形成されている。
【００１２】
また、上記電気機器は、上記着脱体が上記基体に対して装着された状態で、上記被認識部の操作により、上記制御部への給電を停止できるように形成されている。
【００１３】
また、上記電気機器は、上記着脱体が上記基体に対して装着された状態で、上記被認識部の操作により、上記制御部への給電を行うことができるように形成されている。
【００１４】
本発明は、更に具体的には、コンパクト収納を目的とした支柱部と基台部とが分離できる扇風機において、基台部内に設けられたマイクロＳＷを動作せしめる支柱部内の突起体を可動型とすることにより、支柱部と基台部の合体時に扇風機の電源スイッチのボタンを可動突起体により兼用するものである。
【００１５】
本発明は、前述の構成により、支柱部に設けた可動突起体を動かすことにより基台部内の制御回路の活電部への電源供給の有無を決定するマイクロＳＷをＯＮ・ＯＦＦさせることができ、扇風機の電源スイッチの役割を果たすことができ、別途電源スイッチを設けることなく、従来から有るマイクロＳＷを応用することでコストアップの少ない、そして待機時電力『０（零）』にできる電源スイッチ付き扇風機を実現するものである。
【００１６】
【発明の実施の形態】
以下、本発明の電気機器を、扇風機に適用した実施の形態について、図１，図２，図３を参照しながら説明する。
【００１７】
本実施の形態の扇風機は、コンパクト収納を目的とした支柱部と基台部とが分離できる構造である。図１に示すように、基台部１０２（基体）に支柱部１０１（着脱体）を差し込み、固定ナット１０３で固定すると、支柱部１０１、基台部１０２のそれぞれに設けられたファンモーター接続用コネクタ１０４が合体する。
【００１８】
そして、図２に示すようにファンモーター３０４（動作部）とマイコン制御基板２０４（制御部）がファンモーター接続用コネクタ１０４により接続される。そして、マイコン制御基板２０４への電源供給の有無は、基台部１０２と支柱部１０１とが分離したときに、ファンモーター接続用コネクタ１０４の露出した充電部で人間が感電しないよう等の安全上の配慮から設けられたマイクロＳＷ２０３によって決定される。
【００１９】
このマイクロＳＷ２０３（認識部）の動作について図３（ａ），（ｂ）を用いて説明を行う。
【００２０】
従来例で述べたように、図６のマイクロＳＷを動作せしめる突起体５０１は固定で、支柱部５０６、基台部５０５の合体時にマイクロＳＷ５０３がＯＮするようになっていたが、本発明は、従来の固定突起体を可動式とするものである。
【００２１】
図３（ａ）に示すように、マイコン制御基板２０４への電源供給がＯＦＦの時、即ち、マイクロＳＷ２０３がＯＦＦの時は、スプリング２０２により可動突起体２０１（被認識部）は上方に押し上げられている。
【００２２】
図３（ｂ）に示すように、この可動突起体１０５を指で押し下げると、マイクロＳＷ２０３のヒンジレバー２０３ａが押し下げられ、マイクロＳＷ２０３がＯＮし、マイコン制御基板２０４へ電源が供給される。なお、この可動突起体１０５は半固定式のもので、図３（ａ）の状態から指で押し下げると、図３（ｂ）の状態を保持し、また図３（ｂ）の状態から指で押し下げると、図３（ａ）の状態に戻ってこの状態を保持するというものである。
【００２３】
前述のように、本発明は、可動突起体１０５が扇風機の電源スイッチのボタンの役割も兼用するというもので、図３（ａ）の状態が扇風機の電源スイッチＯＦＦ時、そして、図３（ｂ）の状態が扇風機の電源スイッチＯＮ時を表すこととなる。
【００２４】
以上の構成からも明らかなように、本発明によれば別途電源スイッチを設けることなく、従来からあるマイクロＳＷを応用することでコストアップの少ない、そして待機時電力『０（零）』にできる電源スイッチ付き扇風機を提供できる。
【００２５】
【発明の効果】
以上の構成からも明らかなように、本発明の電気機器によれば、別途電源スイッチを設けることなく、従来からある着脱体の基体への装着状態を認識する被認識部を電源スイッチとして用いるため、スイッチを増やす必要がなくなるためコストアップが少なくなり、そして、このスイッチを切ることにより、容易に待機時電力『０（零）』にできる電気機器を提供できる。
【図面の簡単な説明】
【図１】本発明の扇風機の実施の形態の支柱部を基台部から取外した状態の斜視図である。
【図２】本発明の扇風機の実施の形態のブロック図である。
【図３】本発明の扇風機の実施の形態の基台部と支柱部の合体状態で（ａ）電源スイッチがＯＦＦ状態の断面図、（ｂ）電源スイッチがＯＮ状態の断面図である。
【図４】従来の扇風機の基台部から支柱部を取り外した状態を示す要部斜視図である。
【図５】従来の扇風機の基台部と支柱部の合体時の状態を示す要部断面図である。
【図６】従来の扇風機に電源スイッチを設けた場合のブロック図である。
【符号の説明】
１０１  支柱部
１０２  基台部
１０３  固定ナット
１０４  ファンモーター接続用コネクタ
１０５  可動突起体
２０２  スプリング
２０３  マイクロＳＷ
２０４  マイコン制御基板
３０１  マイクロＳＷ
３０４  ファンモーター
４０１  支柱部
４０２  基台部
４０３  固定ナット
４０４  ファンモーター接続用コネクタ
５０１  固定突起体
５０３  マイクロＳＷ
５０４  マイコン制御基板
５０５  基台部
５０６  支柱部
６０１  マイクロＳＷ
６０２  マイコン制御基板
６０３  ファンモーター接続用コネクタ
６０４  ファンモーター
６０５  電源スイッチ
【図１】
0003663291.tif 000002
【図２】
0003663291.tif 000003
【図３】
0003663291.tif 000004
【図４】
0003663291.tif 000005
【図５】
0003663291.tif 000006
【図６】
0003663291.tif 000007